(57)【要約】【課題】  体感上の堅さを感じさせず、天井階までの各階冷暖房を可能にする。【解決手段】  冷暖房用配（６）管を配設したコンクリート層（４）に根太（７）を固定し、根太間に炭（８）を充填してその上に床材（９）を施工した床部材と、冷暖房用配管に冷房用と暖房用の熱媒体とを切り替え供給可能な熱媒体供給装置（３０）と、床近くの壁面に設けられた冷気または暖気を取り入れる空気孔と、取り入れた冷気または暖気を天井階まで上昇させるための通気路（２７）とを有する壁体と、天井裏上部に設置され、壁体通気路内の冷気または暖気を天井裏まで上昇させ、天井裏から棟喚気に流す強制換気装置（４０）とを備え、前記熱媒体供給装置より冷房用と暖房用の熱媒体を切り替えて冷暖房用配管へ供給し、前記空気孔から冷気または暖気を取り入れて通気路を通して天井裏まで上昇させ、冷房または暖房する。【選択図】        図４
2006153405.tif 000002
【特許請求の範囲】
【請求項１】
冷暖房用配管を配設したコンクリート上に根太を固定し、根太間に炭を充填してその上に床材を施工した床部材と、
冷暖房用配管に冷房用と暖房用の熱媒体とを切り替え供給可能な熱媒体供給装置と、
床近くの壁面に設けられた冷気または暖気を取り入れる空気孔と、取り入れた冷気または暖気を天井階まで上昇させるための通気路とを有する壁体と、
天井裏上部に設置され、壁体通気路内の冷気または暖気を天井裏まで上昇させ、天井裏から棟喚気に流す強制換気装置とを備え、
前記熱媒体供給装置より冷房用と暖房用の熱媒体を切り替えて冷暖房用配管へ供給し、前記空気孔から冷気または暖気を取り入れて通気路を通して天井裏まで上昇させ、冷房または暖房することを特徴とする蓄熱床冷暖房システム。
【発明の詳細な説明】
【技術分野】
【０００１】
本発明は床下設備を利用して天井階まで冷暖房するシステムに関する。
【背景技術】
【０００２】
従来、ＳＲＣ基礎工法（蓄熱床工法）が提案されている（特許文献１、特許文献２）。この工法は、外周を立ち上がり基礎で形成し、内周部の柱受にＨ型鋼を組み込み、床下に砂利層とコンクリートをみたし、コンクリートに床材を直張りする工法である。この工法によれば、完全密封構造となるため外からの冷気や湿気を完全に遮断し、床下の蓄熱層による天然の冷暖房効果が得られる。また、この工法においてコンクリート層に床暖房用温水パイプを配設して床暖房することも行われている。
【特許文献１】特許第３０５１８５０号
【特許文献２】特許第３３３１４６６号
【発明の開示】
【発明が解決しようとする課題】
【０００３】
ところで、従来のＳＲＣ基礎工法においては、コンクリートに床材を直張りしているため、体感上の堅さが難点であった。また、ＳＲＣ蓄熱床暖房では一階のみの床暖房であり、暖房が二階に及ばないという問題もあった。
【課題を解決するための手段】
【０００４】
本発明は上記課題を解決しようとするものであり、体感上の堅さを感じさせず、天井階までの各階を冷暖房できる蓄熱床冷暖房システムを提供することを目的とする。
そのために本発明は、冷暖房用配管を配設したコンクリート上に根太を固定し、根太間に炭を充填してその上に床材を施工した床部材と、
冷暖房用配管に冷房用と暖房用の熱媒体とを切り替え供給可能な熱媒体供給装置と、
床近くの壁面に設けられた冷気または暖気を取り入れる空気孔と、取り入れた冷気または暖気を天井階まで上昇させるための通気路とを有する壁体と、
天井裏上部に設置され、壁体通気路内の冷気または暖気を天井裏まで上昇させ、天井裏から棟喚気に流す強制換気装置とを備え、
前記熱媒体供給装置より冷房用と暖房用の熱媒体を切り替えて冷暖房用配管へ供給し、前記空気孔から冷気または暖気を取り入れて通気路を通して天井裏まで上昇させ、冷房または暖房することを特徴とする。
【発明の効果】
【０００５】
従来のＳＲＣ床暖房では床が堅く膝への悪影響が心配され、この点は一般の根太工法にすることによりコンクリートと床材の間に空間を発生させて体感上の堅さの難点を克服することが可能であるが、床暖房をしたとき結露の恐れがある。そこで、本発明では空間に炭を充填することにより結露を防ぎ、さらに炭効果として化学物質の吸着効果や遠赤外線効果も期待できる。
また、従来の床暖房は二階への暖房効果は限定され二階へは別な暖房が必要であったが、本発明では一階暖気を壁体を通して上階まで上昇させているので、壁体と上階の床を通して暖房することができ、２４時間暖房とすることにより、僅かな加熱でも暖房効果が現れる。また、暖房と同じ原理で冷房も行うことにより一階だけでなく上階まで冷房効果を与えることが可能となる。
【発明を実施するための最良の形態】
【０００６】
以下、本発明を実施するための最良の形態について説明する。
図１は本システムの床構造を説明する図、図２は床近くの壁面に設けた空気孔（ガラリ）から冷気または暖気を取り入れる様子を説明する図、図３は壁体の水平断面図、図４は強制換気システムを説明する図である。
図１により床構造について説明すると、盛土１の上に厚さ５０〜６００ｍｍ程度の砕石層２を施工し、その上面を厚さ０．１ｍｍ程度の樹脂フィルム（例えばポリエチレンフィルム）３で覆う。次いで、樹脂フィルム３の上面に厚さ２０〜２００ｍｍ程度のコンクリート層４を打設する。コンクリート層４は鉄筋５を配筋したものであり、暖房用媒体、冷房用媒体を流す樹脂配管（例えばポリブデン管）６を配設し、砕石層２、コンクリート層４で蓄熱体を形成する。次いで、コンクリート層３上に所定間隔で合板製等の根太７を固定し、根太間に炭（例えば粒炭）８を充填してその上に床材９を施工する。
【０００７】
このような根太工法を採用することにより、床に僅かなしなりが生ずるので、体感上の堅さを感じさせなくなる。また、根太間に充填した炭がコンクリートや接着剤、合板などから発生する化学物質を吸着し、さらに炭が暖められた時に発生する遠赤外線効果も期待できる。
【０００８】
図２に示すように、建物の壁体の内面には床材９の表面近くに冷気または暖気を取り入れる空気孔（ガラリ）１０が複数箇所に設けられている。上記したように、コンクリート層４に配設された配管６には冷房用または暖房用の熱媒体が供給されるため床表面が冷やされ、或いは暖められ、床表面近くの冷気または暖気が空気孔１０より取り込まれる。図の破線は冷気、実線は暖気を示しており、後述する強制換気装置により冷気１１または暖気１２が天井裏まで上昇して各階の冷暖房効果が得られる。
【０００９】
図３により壁体構造を説明すると、防水シート２２を介して柱２０、間柱２１に外壁２３を取り付け、その内側の柱間には厚さ１００ｍｍ程度のグラスウール等からなる断熱材２４を配置する。さらに、断熱材２４の内側を塩化ビニールシート２５で覆い、その内側に通気胴椽２６を取り付けると、通気胴椽２６の円筒状の凹みと塩化ビニールシート２５との間に通気路２７が形成される。そして、通気胴椽２６の内側表面に内壁ボード２８を取り付ける。なお、壁体内面側で床面近くに設けられる空気孔１０は、内壁ボード２８と通気胴椽２６を通して通気路２７に連通するように形成されている。そして、空気孔１０から取り込まれた冷気または暖気は、外壁側が断熱された通気路２７を上昇する過程で、通気胴椽２６と内壁ボード２８を通して室内を冷房または暖房する。
【００１０】
図４により強制換気について説明すると、屋外に設置した熱媒体供給装置３０はボイラーとチラーを有し、冬と夏とでこれらを切り替えて稼働させ、それぞれ暖房用熱媒体、或いは冷房用熱媒体をコンクリート層４に設けられた配管６に供給する。図の左側は夏、右側は冬の状態を示しており、床面で冷やされた冷気、または暖められた暖気が床面近くに設けられた空気孔１０から通気路２７に取り込まれる。取り込まれた冷気１１または暖気１２はそれぞれ通気路２７を上昇して天井裏から棟換気に流れ、天井裏最上部に設けられた強制換気装置４０により流れが促進される。こうして、１階だけでなく上階にも冷気、暖気を供給して暖房、冷房を行うことが可能となる。
【産業上の利用可能性】
【００１１】
本発明によれば、体感上の堅さを感じさせず、天井階までの各階を冷暖房できるので産業上の利用価値は大きい。
【図面の簡単な説明】
【００１２】
【図１】本システムの床構造を説明する図である。
【図２】空気孔から冷気または暖気を取り入れる様子を説明する図である。
【図３】壁体の水平断面図である。
【図４】強制換気システムを説明する図である。
【符号の説明】
【００１３】
１…盛土、２…砕石層、３…樹脂フィルム、４…コンクリート層、５…鉄筋、６…配管、７…根太、８…炭、９…床材、１０…空気孔、１１…冷気、１２…暖気、２０…柱、２１…間柱、２２…防水シート、２３…外壁、２４…断熱材、２５…塩化ビニールシート、２６…通気胴椽、２７…通気路、２８…内壁ボード、３０…熱媒体供給装置、４０…強制換気装置。
【図１】
2006153405.tif 000003
【図２】
2006153405.tif 000004
【図３】
2006153405.tif 000005
【図４】
2006153405.tif 000006